(57)【特許請求の範囲】
【請求項１】
釣竿のリールシートに装着される釣り用リールのリール取付脚を保護する釣り用リールの保護カバーであって、
前記リール取付脚の前端及び後端の少なくとも前記リールシートに接触する部分を覆う袋状の前カバー部及び後カバー部と、
前記前カバー部及び前記後カバー部を連結し伸縮性を有する連結部と、
を備えた釣り用リールの保護カバー。
【請求項２】
前記リール取付脚はアルミニウム合金及びマグネシウム合金のいずれかにより形成されている、請求項１に記載の釣り用リールの保護カバー。
【請求項３】
前記前カバー部及び前記後カバー部と前記連結部とは一体成形されている、請求項１又は２に記載の釣り用リールの保護カバー。
【請求項４】
前記前カバー部及び前記後カバー部は合成樹脂絶縁体製である、請求項１から３のいずれかに記載の釣り用リールの保護カバー。
【発明の詳細な説明】
【０００１】
【発明の属する技術分野】
本発明は、保護カバー、特に、釣り用リールのリール取付脚を保護する保護カバーに関する。
【０００２】
【従来の技術】
スピニングリール、両軸受リール、片軸受リール等の釣り用リールには、釣り用リールを釣竿のリールシートに取り付けるためのリール取付脚が設けられている。スピニングリールの場合には、リール取付脚は、リール本体の上部にＴ字型に一体成形されている。両軸受リールや片軸受リールの場合には、リール取付脚は、リール本体と一体又は別体で設けられている。これらのリール取付脚は、一般に、釣竿の長手方向に沿うような形状の板状部材であり、断面が釣竿の外周面に合わせて円弧状に湾曲した形状である。この種のリール取付脚は、ステンレス合金やアルミニウム合金、マグネシウム合金等の金属や合成樹脂により形成されている。
【０００３】
特にアルミニウム合金製やマグネシウム合金製のリール取付脚では、表面に酸化被膜や塗料による塗膜等の耐食膜が形成されることが多い。このような耐食膜を形成すると、リール取付脚が腐食雰囲気に曝されなくなり、耐食性を向上させることができる。
【０００４】
【発明が解決しようとする課題】
前記従来の金属製や合成樹脂製のリール取付脚は、両端部をリールシートに取り付ける際、リールシートとの摩擦によりリール取付脚の表面が傷ついてしまうことがある。特にリール取付脚がアルミニウム合金やマグネシウム合金等の金属により形成されている場合は、リール取付脚の表面の耐食層が傷つくと、耐食層の傷口から腐食雰囲気に曝され、リール取付脚が腐食してしまうおそれがある。
【０００５】
本発明の課題は、釣り用リールのリール取付脚の表面を保護することにある。
【０００６】
【課題を解決するための手段】
発明１に係る釣り用リールの保護カバーは、釣竿のリールシートに装着される釣り用リールのリール取付脚を保護する釣り用リールの保護カバーであって、リール取付脚の前端及び後端の少なくともリールシートに接触する部分を覆う袋状の前カバー部及び後カバー部と、前カバー部及び後カバー部を連結し伸縮性を有する連結部とを備えている。
【０００７】
この釣り用リールの保護カバーでは、リール取付脚の前端及び後端に袋状の前カバー部及び後カバー部をそれぞれ装着する。そして、リール取付脚に保護カバーを装着した状態で、リール取付脚をリールシートに取り付ける。ここでは、リール取付脚の前端及び後端が袋状の前カバー部及び後カバー部によって覆われているので、リール取付脚の表面を保護することができ、リール取付脚の表面が傷つきにくくなる。さらに、この場合、保護カバーをリール取付脚に装着するには、リール取付脚の前端に前カバー部を装着し、リール取付脚の後端に連結部を伸長しながら後カバー部を装着する。ここでは、前カバー部及び後カバー部と連結部とが連結されており、すなわち保護カバーは１つの部材で構成されている。したがって、保護カバーが複数の部材で構成されている場合と比して、保護カバーの保管が容易になり、保護カバーの紛失を防止できる。
【０００８】
発明２に係る保護カバーは、発明１の保護カバーにおいて、リール取付脚はアルミニウム合金及びマグネシウム合金のいずれかにより形成されている。
【０００９】
この場合、たとえばアルミニウム合金製又はマグネシウム合金製のリール取付脚が前カバー部及び後カバー部によって覆われているので、たとえばリール取付脚の表面に形成された耐食層が剥がれにくくなり、リール取付脚の腐食を防止することができる。
【００１０】
発明３に係る保護カバーは、発明１又は２の保護カバーにおいて、前カバー部及び後カバー部と連結部とは一体成形されている。この場合、保護カバーは前カバー部及び後カバー部と連結部とが一体で形成されているので、保護カバーの形成が容易になる。
【００１１】
発明４に係る保護カバーは、発明１から３のいずれかの保護カバーにおいて、前カバー部及び後カバー部は合成樹脂絶縁体製である。
【００１２】
この場合は、たとえばポリエチレンやウレタン等の合成樹脂絶縁体により保護カバーを形成することにより、リール取付脚がマグネシウム合金等の金属製で、かつリールシートがマグネシウム合金等の金属よりもイオン化傾向の低い金属製である場合でも、マグネシウム合金等の金属製リール取付脚が電解腐食を起こしにくくなる。
【００１３】
【発明の実施の形態】
本発明の一実施形態を採用した釣り用リールは、図１及び図２に示すように、ベイトキャスト用のロープロフィール型の両軸受リールである。この両軸受リールは、リール本体１と、リール本体１の側方に配置されたスプール回転用ハンドル２と、リール本体１の内部に回転自在かつ着脱自在に装着された糸巻き用のスプール１２とを備えている。ハンドル２のリール本体１側には、ドラグ調整用のスタードラグ３が設けられている。ハンドル２は、板状のハンドルアーム２ａと、ハンドルアーム２ａの両端に回転自在に装着された把手部２ｂとを有するダブルハンドル形のものである。
【００１４】
リール本体１は、釣竿Ｒに装着されたリールシートＲＳに装着される。リールシートＲＳは、図３に示すように、釣竿Ｒに固定されたシート本体ＳＨと、シート本体ＳＨに回転不能かつ前後移動自在に装着された前フードＦＦと、シート本体ＳＨの後部に一体で形成された後フードＲＦとを有している。前フードＦＦには、前グリップＦＧが回転自在かつ軸方向移動不能に連結されており、前グリップＦＧは、シート本体ＳＨにネジ結合されている。このような構成のリールシートＲＳでは、前グリップＦＧを回転させることで前フードＦＦが前後進し、前フードＦＦと後フードＲＦとの間の距離を調整可能である。
【００１５】
リール本体１は、図２に示すように、フレーム５と、フレーム５の両側方に装着された第１側カバー６ａ及び第２側カバー６ｂとを有している。第１側カバー６ａは、フレーム５に開閉自在に装着され、第２側カバー６ｂは、フレーム５にビス止めされている。また、リール本体１は、前方を覆う前カバー７と、上部を覆うサムレスト８とを有している。前カバー７及びサムレスト８は、いずれもフレーム５にビス止めされている。
【００１６】
フレーム５は、図２及び図３に示すように左右（釣竿Ｒの長手方向と交差する方向）に所定の間隔をあけて互いに対向するように配置された第１側板５ａ及び第２側板５ｂと、第１側板５ａ及び第２側板５ｂを連結するように第１側板５ａ及び第２側板５ｂと一体で形成された複数の連結部５ｃ（図３参照）とを有している。下側の２つの連結部５ｃには、リールを釣竿ＲのリールシートＲＳに装着するための前後（釣竿Ｒの長手方向）に長いリール取付脚４が２本のボルト９により締結されている。
【００１７】
リール取付脚４は、図３及び図４に示すように、前後に長く形成されたアルミニウム合金製又はマグネシウム合金製の矩形棒状の本体部２０と、本体部２０の前端に設けられた前係止部２１と、本体部２０の後端に設けられた後係止部２２とを有している。これらの前係止部２１及び後係止部２２は後述する保護カバー５０が装着された状態で、リールシートＲＳの前フードＦＦ及び後フードＲＦにそれぞれ取り付けられる。
【００１８】
保護カバー５０は、ポリエチレンやウレタン等の合成樹脂絶縁体により一体成形され、図４に示すように、前係止部２１を覆う前カバー部５１と、後係止部２２を覆う後カバー部５２と、本体部２０の釣竿Ｒ接触面に沿って前カバー部５１及び後カバー部５２を連結する連結部５３とを有している。
【００１９】
前カバー部５１及び後カバー部５２は、図４に示すように、リール取付脚４の前係止部２１及び後係止部２２の外形と略同一の空間を有する袋状の部材であり、その開口が互いに対向するように配置されている。前カバー部５１及び後カバー部５２の釣竿Ｒ接触面は、連結部５３の釣竿Ｒ接触面と滑らかな同一面をなして連結されている。また、連結部５３は前後方向に伸縮自在であり、前カバー部５１及び後カバー部５２を含む前後方向の長さは、リール取付脚４の前後方向の長さと略同一若しくはやや短くなるように形成されている。
【００２０】
保護カバー５０をリール取付脚４に装着するには、まずリール取付脚４の前係止部２１に前カバー部５１を装着する。そして、連結部５３を後係止部２２方向に伸長しながら、後カバー部５２を後係止部２２に装着する。なお、ここでは前係止部２１に前カバー部５１を先に装着したが、後カバー部５２を後係止部２２に先に装着し、連結部５３を前係止部２１方向に伸長して前係止部２１に前カバー部５１を装着してもよい。
【００２１】
そして、保護カバー５０が装着されたリール取付脚４をリールシートＲＳに取り付けるには、前グリップＦＧをたとえば反時計回りに回すことにより前フードＦＦを前方（図３の左方）に移動させ、前フードＦＦと後フードＲＦとの距離をリール取付脚４が装着可能なスペースを生成する。このスペースに保護カバー５０が装着されたリール取付脚４を取り付けた後、前グリップＦＧを逆方向（時計回り）に回すことで前フードＦＦを後方に移動させ、リール取付脚４を固定する。
【００２２】
このとき、リール取付脚４には保護カバー５０が装着され、前係止部２１及び後係止部２２にはそれぞれ前カバー部５１及び後カバー部５２が装着されている。このため、前係止部２１及び後係止部２２が、それぞれ前フードＦＦ及び後フードＲＦに直接的に接触することがなく、リール取付脚４の表面を保護することができる。
【００２３】
〔他の実施形態〕
（ａ）  前記実施形態では、釣り用リールとして両軸受リールを例に説明したが、本発明はこれに限定されるものではなく、両軸受リールの他にスピニングリールや片軸受リールにも本発明を適用できる。
【００２４】
（ｂ）  前記実施形態において、保護カバー５０はポリエチレンやウレタン等の合成樹脂絶縁体により形成されていたが、これに限定されるものではなく、伸縮性及びリール取付脚４に対して絶縁性を有する部材、たとえばゴム等により保護カバー５０を形成してもよい。
【００２５】
（ｃ）  前記実施形態において、前カバー部５１及び後カバー部５２と連結部５３とは一体成形されていたが、前カバー部５１及び後カバー部５２と連結部５３とを別体で構成してもよい。
【００２６】
（ｄ）  前記実施形態において、リール取付脚４はアルミニウム合金製又はマグネシウム合金製であったが、これに限定されるものではなく、他の金属や合成樹脂等によりリール取付脚４を形成してもよい。
【００２７】
【発明の効果】
本発明によれば、リール取付脚には保護カバーが装着されているので、リール取付脚の表面を保護することができる。
【図面の簡単な説明】
【図１】  本発明の一実施形態が採用された両軸受リールの斜視図。
【図２】  前記両軸受リールの平面図。
【図３】  前記両軸受リールの釣竿に装着された状態における断面図。
【図４】  保護カバー周辺の拡大断面図。
【符号の説明】
１  リール本体
４  リール取付脚
２０  本体部
２１  前係止部
２２  後係止部
５０  保護カバー
５１  前カバー部
５２  後カバー部
５３  連結部
Ｒ  釣竿
ＲＳ  リールシート
【図１】
0004414542.tif 000002
【図２】
0004414542.tif 000003
【図３】
0004414542.tif 000004
【図４】
0004414542.tif 000005